(57)【要約】【課題】携帯端末に対応していない電子マネーＩＣカードをさまざまな携帯端末挿入可能なＩＣカードに情報をコピーして利用できるようにし、また登録されている電子マネー情報を一つのアプリケーションで一括しての管理を可能とする。【解決手段】電子マネー一括管理アプリケーションをインストールし、挿脱可能なＩＣチップを挿入した携帯端末に、電子マネーＩＣカードのカード情報をコピーさせ、携帯端末でも電子マネー決済を可能とし、さらにＩＣチップを別の携帯端末に差し替えることで容易に情報を引きついて利用可能とし、ＩＣチップに保有する電子マネー情報を一覧形式で表示して残高・履歴照会や電子マネーチャージを一つのアプリケーションで一括して管理可能とする。【選択図】図２
2010211337.tif 000002
【特許請求の範囲】
【請求項１】
カード情報を記録した電子マネーＩＣカードとの間で情報を連携可能とすると共に、該電子マネーＩＣカードに対応する電子マネー決済用の外部リーダーライターとの間で情報を連携可能とするために、内蔵リーダーライターを備えた携帯端末を有する電子マネー一括管理システムにおいて、
前記携帯端末の具備する装着部に対して挿脱可能でありかつ記憶領域を有するＩＣチップを有し、
前記ＩＣチップを挿入した前記携帯端末が、前記内蔵リーダーライターを用いて前記電子マネーＩＣカードから前記カード情報を読み取る手段と、読み取った前記カード情報を前記ＩＣチップにコピーする手段と、前記ＩＣチップにコピーされたカード情報を用いて前記外部リーダーライターと情報を連携することにより電子マネー決済を行う手段とを備えたことを特徴とする電子マネー一括管理システム。
【請求項２】
前記ＩＣチップを挿脱可能な装着部を具備する別の携帯端末をさらに有し、該ＩＣチップを挿入した該別の携帯端末は、該ＩＣチップにコピーされたカード情報を用いて前記外部リーダーライターと情報を連携することにより電子マネー決済を行う手段を備えたことを特徴とする請求項１に記載の電子マネー一括管理システム。
【請求項３】
前記携帯端末が、前記ＩＣチップにコピーされたカード情報を管理するためのアプリケーションをインストールする手段を備え、かつ、
前記カード情報は、電子マネーの種類を特定する電子マネー情報と、顧客を特定する顧客情報と、残高情報とを含み、
前記アプリケーションをインストールすると共に前記ＩＣチップを挿入した前記携帯端末は、新たなカード情報を該ＩＣチップにコピーする際に、該カード情報に固有の電子マネー名称を付与して該カード情報に対応付けて該ＩＣチップに記録する手段と、
前記ＩＣチップに記録されているカード情報に付与された電子マネー名称の一覧を、前記携帯端末の表示部に表示していずれかの電子マネー名称の選択を入力させる手段と、
入力された前記電子マネー名称をキーとして、前記ＩＣチップに記録された対応するカード情報を特定し、その残高情報を取得する手段と、
入力された前記電子マネー名称をキーとして、前記ＩＣチップに記録された対応するカード情報を特定し、その電子マネー情報及び顧客情報を取得し、取得した電子マネー情報及び顧客情報に基づいて前記外部リーダーライターと情報を連携することにより履歴情報を取得する手段と、
入力された前記電子マネー名称をキーとして、前記ＩＣチップに記録された対応するカード情報を特定し、その電子マネー情報及び顧客情報を取得し、取得した電子マネー情報及び顧客情報に基づいて前記外部リーダーライターと情報を連携することにより電子マネーチャージを行う手段とを備えたことを特徴とする請求項１又は２に記載の電子マネー一括管理システム。
【発明の詳細な説明】
【技術分野】
【０００１】
本発明は、電子マネーＩＣカードのカード情報を携帯端末にコピーし当該携帯端末を用いて電子マネーＩＣカードと同様に電子マネー決済可能とすることに加え、当該携帯端末の交換時にも容易に移行可能とし、さらに一つの携帯端末にコピーされた複数のカード情報を、統一した表示及び操作で一括管理できるようにする電子マネー一括管理システムに関する。
【背景技術】
【０００２】
ＩＣ技術の発達に伴い、電子マネーＩＣカードによって手軽に電子マネー決済を行うことができるようになってきている。しかし、さまざまな規格の電子マネーＩＣカードが乱立しており、規格の異なる電子マネー決済を行うことはできない。
【０００３】
最近、携帯電話に電子マネーアプリケーションを導入すると共に携帯電話に内蔵された非接触型ＩＣを用いることにより、異なる規格の電子マネー決済を携帯電話一つで行うことが可能となった。この結果、複数の電子マネーＩＣカードを所有する必要がなくなり、利便性が向上している。
【０００４】
図１は、電子マネーＩＣカードの内蔵ＩＣチップに記憶された電子マネーＩＣカード情報（以下、単に「カード情報」と称する）を、携帯電話の内蔵記憶装置にコピーし、携帯電話を用いて電子マネー決済を行うシステムの概略的なブロック構成図である。当該システムには、携帯電話に未だ情報が登録されていない(コピーされていない)電子マネーＩＣカード１１と、携帯電話１０とが含まれる。携帯電話１０は、電子マネーＩＣカード１１を読み取るために携帯電話に内蔵された非接触型ＩＣ形態のリーダーライター（以下、「内蔵リーダーライター」と称する）１２と、読み取ったカード情報を記録するために携帯電話に内蔵された記憶装置であるＥＥＰＲＯＭ１３と、操作を行う操作部１４と、処理の推移を表示する表示部１５と、全体を制御するＣＰＵ１６とを備えている。
【０００５】
このようなシステムにおいては、電子マネーＩＣカード１１を携帯電話１０の内蔵リーダーライター１２にかざして読み取ったカード情報を、ＣＰＵ１６が処理して携帯電話１０内のＥＥＰＲＯＭ１３に記録する（カード情報のコピー）。この操作により、電子マネーアプリケーション未対応の携帯電話１０においても、電子マネーＩＣカード１１と同等に電子マネー決済が利用可能となる。特許文献１は、このような携帯電話を開示している。特許文献１の携帯電話は、図１における内蔵リーダーライター１２を介して外部のリーダーライター（図示せず）と接続して、ＥＥＰＲＯＭ１３に記録されたカード情報を送受信することにより、あたかも、携帯電話１０が電子マネーＩＣカード１１であるかのように動作する。
【先行技術文献】
【特許文献】
【０００６】
【特許文献１】特開２００５−１８２７０号公報
【発明の概要】
【発明が解決しようとする課題】
【０００７】
ところで、近年ではさまざまな規格の電子マネーＩＣカードが乱立している上、利用地域や店舗毎に電子マネーＩＣカードを設けているため、電子マネーが普及すればするほど電子マネーＩＣカードの枚数が増加してしまう。
【０００８】
このため、小額決済時において現金を扱う手間が省けるという効率化の裏で、電子マネーＩＣカードを多数持ち歩かなければならず、また、それらの中から対象のカードを見つけ出して利用するという手間がかかってしまう。
【０００９】
また、特許文献１のようにカード情報を携帯電話にコピーできる場合にも、電子マネーチャージは、従来どおり、対応する外部リーダーライターを利用して電子マネーＩＣカードに対して行わなければならない上、チャージ後に電子マネーＩＣカードと携帯電話との間で電子マネーチャージ情報の同期処理も必要とする。
さらに、複数の電子マネーＩＣカードの各々のカード情報を携帯電話にコピーした場合には、上記のチャージ作業を電子マネーＩＣカード毎に行わなければならない。また、残高・利用履歴管理が、電子マネーＩＣカード毎に発生することによる操作の煩わしさがある。
これらのことは効率性に欠けるため、電子マネーチャージや残高・利用履歴の管理を怠ることにつながり、いざ携帯電話で電子マネー決済をする際に残高不足によってエラーとなり、結局現金を使用しなければならなくなるという、非効率な事象が頻発している。総合的に見ると、いまひとつ利便性に欠けるため、電子マネー普及の妨げとなっている。さらに、電子マネーＩＣカードから読み取ったカード情報は、携帯電話の内蔵記憶装置にコピーされるため、携帯電話を交換する際の移行や同期処理においても不便さがある。
【００１０】
本発明の目的は、携帯電話等の携帯端末に対して未対応の電子マネーＩＣカードに記録されたカード情報を、さまざまな携帯端末に挿入及び脱離（以下「挿脱」と称する）可能であるＩＣチップにコピーして利用可能とすると共に、一つの携帯端末にコピーされている複数のカード情報を、当該携帯端末に導入された一つのアプリケーションで一括して管理することができる電子マネー一括管理システムを提供することにある。
【課題を解決するための手段】
【００１１】
上記目的を達成するために、本発明の電子マネー一括管理システムは、非接触型ＩＣを搭載した電子マネーＩＣカードのカード情報を、記憶領域を有し携帯端末に対して挿脱可能なＩＣチップにコピーすることにより、電子マネーＩＣカードと携帯端末の双方で電子マネー決済を可能とするシステムである。また、その挿脱可能なＩＣチップを別の携帯端末に挿入することにより、その別の携帯端末がカード情報を引継ぐことで電子マネー決済を可能とする。また、携帯端末に挿入されたＩＣチップに登録されている複数のカード情報に関連する残高照会、履歴照会及び電子マネーチャージを一つのアプリケーションで行う一括管理手段とを設けたものである。本システムの構成は、次の通りである。
【００１２】
本発明の電子マネー一括管理システムは、カード情報を記録した電子マネーＩＣカードとの間で情報を連携可能とすると共に、該電子マネーＩＣカードに対応する電子マネー決済用の外部リーダーライターとの間で情報を連携可能とするために、内蔵リーダーライターを備えた携帯端末を有する電子マネー一括管理システムにおいて、前記携帯端末の具備する装着部に対して挿脱可能でありかつ記憶領域を有するＩＣチップを有し、前記ＩＣチップを挿入した前記携帯端末が、前記内蔵リーダーライターを用いて前記電子マネーＩＣカードから前記カード情報を読み取る手段と、読み取った前記カード情報を前記ＩＣチップにコピーする手段と、前記ＩＣチップにコピーされたカード情報を用いて前記外部リーダーライターと情報を連携することにより電子マネー決済を行う手段とを備えたことを特徴とする。
さらに、前記ＩＣチップを挿脱可能な装着部を具備する別の携帯端末を有し、該ＩＣチップを挿入した該別の携帯端末は、該ＩＣチップにコピーされたカード情報を用いて前記外部リーダーライターと情報を連携することにより電子マネー決済を行う手段を備えることが好適である。
またさらに、前記携帯端末が、前記ＩＣチップにコピーされたカード情報を管理するためのアプリケーションをインストールする手段を備え、かつ、前記カード情報は、電子マネーの種類を特定する電子マネー情報と、顧客を特定する顧客情報と、残高情報とを含み、前記アプリケーションをインストールすると共に前記ＩＣチップを挿入した前記携帯端末は、新たなカード情報を該ＩＣチップにコピーする際に、該カード情報に固有の電子マネー名称を付与して該カード情報に対応付けて該ＩＣチップに記録する手段と、前記ＩＣチップに記録されているカード情報に付与された電子マネー名称の一覧を、前記携帯端末の表示部に表示していずれかの電子マネー名称の選択を入力させる手段と、入力された前記電子マネー名称をキーとして、前記ＩＣチップに記録された対応するカード情報を特定し、その残高情報を取得する手段と、入力された前記電子マネー名称をキーとして、前記ＩＣチップに記録された対応するカード情報を特定し、その電子マネー情報及び顧客情報を取得し、取得した電子マネー情報及び顧客情報に基づいて前記外部リーダーライターと情報を連携することにより履歴情報を取得する手段と、入力された前記電子マネー名称をキーとして、前記ＩＣチップに記録された対応するカード情報を特定し、その電子マネー情報及び顧客情報を取得し、取得した電子マネー情報及び顧客情報に基づいて外部リーダーライターと情報を連携することにより電子マネーチャージを行う手段とを備えることが好適である。
【発明の効果】
【００１３】
以上のように本発明の電子マネー一括管理システムによれば、次のような効果がある。
携帯端末に対応していない電子マネーＩＣカードのカード情報を、さまざまな携帯端末に挿脱可能なＩＣチップにコピーすることにより、さまざまな携帯端末を用いて電子マネーＩＣカードと同じカード決済機能を利用できるようにする。また、ＩＣチップに登録されている複数の電子マネーＩＣカードのカード情報を、一つのアプリケーションで一括して管理することができ、各カード情報に関連する残高照会、履歴照会及び電子マネーチャージを効率的に行うことができる。
【図面の簡単な説明】
【００１４】
【図１】背景技術を示すシステムのブロック構成図である。
【図２】本発明の実施形態の一例を示すシステム構成図である。
【図３】携帯端末内部のブロック構成図である。
【図４】ＩＣチップ内の電子マネーＩＣカード情報データ構成図である。
【図５】携帯端末におけるカード情報コピー処理の概要を示すフローチャートである。
【図６】携帯端末におけるＩＣチップ認証処理の概要を示すフローチャートである。
【図７】携帯端末におけるカード情報コピー処理の概要を示すフローチャートである。
【図８】携帯端末における残高・履歴照会・電子マネーチャージの概要を示すフローチャートである。
【発明を実施するための形態】
【００１５】
図２は本発明の一実施例を示すシステム構成図である。この実施例の電子マネー一括管理システムは、ＩＣチップ２１、ダウンロードサーバー２２、携帯端末２３、電子マネーＩＣカード２４、外部リーダーライター２５、電子マネーサーバー２６、別の携帯端末２７を有する構成である。
【００１６】
電子マネーＩＣカード２４は、通常、対応する外部リーダーライター２５と情報を連携することで、電子マネー決済を行うことができる。電子マネーＩＣカード２４は、内蔵する記録領域にカード情報を記録している。外部リーダーライター２５は、ネットワークを介して複数の電子マネーサーバー２６と接続され、情報を連携する。各電子マネーサーバー２６は、電子マネーＩＣカードの種類毎に存在し、電子マネーＩＣカード２４による電子マネー決済に関する種々の情報を管理する。
【００１７】
ＩＣチップ２１は、記憶領域を有しており、携帯端末２３、２７に挿脱可能である。ＩＣチップ２１が携帯端末に挿入されると、ＩＣチップ２１の記憶領域が、携帯端末２３、２７の記憶領域として利用可能となる。
【００１８】
携帯端末２３は、例えば携帯電話であり、非接触型ＩＣ形態である内蔵リーダーライターを備え（後述する図３参照）、この内蔵リーダーライターを介して電子マネーＩＣカード２４からカード情報を読み取り可能である。また、携帯端末２３の内蔵リーダーライターは、電子マネーＩＣカード２４に対応した外部リーダーライター２５と情報を連携することができる。携帯端末２３には、所定のアプリケーションがダウンロードサーバー２２よりダウンロードされインストールされている。所定のアプリケーションは、電子マネーＩＣカード２４からのカード情報のコピー処理や、携帯端末に登録されている複数のカード情報の一括管理をサポートするものである。
【００１９】
電子マネーＩＣカード２４のカード情報をＩＣチップ２１にコピーしようとする場合、先ず、ＩＣチップ２１を準備し、携帯端末２３に差し込む。これにより、携帯端末２３を介して、電子マネーＩＣカード２４のカード情報をＩＣチップ２１にコピー可能となる。電子マネーＩＣカード２４を、携帯端末２３の内蔵リーダーライターにかざして、携帯端末２３に電子マネーＩＣカード２４のカード情報を読み取らせる。携帯端末２３は、読み取ったカード情報を、挿入されているＩＣチップ２１にコピーする。同様の手順を用いて、複数の電子マネーＩＣカード２４のカード情報を一つのＩＣチップ２１にコピーすることができる。
【００２０】
この携帯端末２３によりカード決済を行う場合は、携帯端末２３の内蔵リーダーライターを、外部リーダーライター２５にかざし、外部リーダーライター２５に接続されている各電子マネーサーバー２６と情報を連携することで、電子マネーＩＣカードと同様に電子マネー決済を行うことができる。
【００２１】
ユーザが携帯端末２３と同時に所有している別の携帯端末２７、もしくは携帯端末２３の切替後の別の携帯端末２７がある場合は、挿脱可能なＩＣチップ２１を携帯端末２３から携帯端末２７へ差し替え、さらにダウンロードサーバー２２より上記所定のアプリケーションを携帯端末２７にダウンロードしインストールすることで、引き続き携帯端末２７を、電子マネーＩＣカードと同様に電子マネー決済に利用可能となる。
【００２２】
このように、携帯端末２７は、携帯端末２３よりＩＣチップ２１を差し替えてアプリケーションをダウンロードするだけで、他の移行作業を一切行うことなく電子マネーＩＣカードを利用できることとなる。例えば携帯電話の機種変更を行う場合、これまでは機種変更手続き前に、移行前手続きを行い、機種変更手続き後の新しい携帯電話にて移行前情報の取得・登録を行う操作を電子マネー毎にしなければならなかったが、本発明によってＩＣチップ２１の差し替えと電子マネー一括管理アプリケーションのダウンロード及びインストールとを行うだけで移行が可能となる。
【００２３】
さらに、ダウンロードサーバー２２よりダウンロードするアプリケーションは、ＩＣチップ２１にコピーされている複数のカード情報を、一括して管理できる機能を備えている。従って、携帯端末２３にインストールされた一つのアプリケーションを起動するだけで、照会したい電子マネーＩＣカードの残高・履歴情報を、対応する各電子マネーサーバーから取得して携帯端末２３の画面に表示してくれる。さらに、このアプリケーションは、携帯端末２３に対して電子マネーチャージを直接行う機能も有する。
【００２４】
図３は、図２に示した携帯端末内部と、コピー元となる電子マネーＩＣカードを示したブロック構成図である。コピー元となる電子マネーＩＣカード３１は、図２の符号２４の一つに相当する。携帯端末３０(図２の符号２３、２７に相当)は、内蔵リーダーライター３２と、挿脱可能なＩＣチップ３３(図２の符号２１に相当)と、携帯端末の保有する制御プログラムや各種のデータを記憶するための記憶装置であるマスクＲＯＭ３４と、アプリケーションをＧＵＩ操作する操作部３５と、画面などを表示する表示部３６と、本人確認の際に携帯端末に指紋を読み取る指紋認証装置３７と、全体を制御するＣＰＵ３８とで構成される。図示しないが、携帯端末３０は、ＩＣチップ３３を挿脱可能とする装着部を備えている。
【００２５】
挿脱可能なＩＣチップ３３は、不揮発性の記憶装置ＥＥＰＲＯＭ３３１と、書き換え不能のＲＯＭ３３２とを保有する。不揮発性の記憶装置ＥＥＰＲＯＭ３３１の内部には、電子マネーＩＣカード３１からコピーしたカード情報３３１１が記憶されている。書き換え不能のＲＯＭ３３２の内部には、本人確認用の指紋情報３３２１が記憶されている。
【００２６】
この携帯端末３０は、挿脱可能なＩＣチップ３３が装着部に挿入され、電子マネー一括管理アプリケーションがマスクＲＯＭ３４にインストールされていることで、電子マネーＩＣカード３１のカード情報をコピーすることができる。この準備を行ったうえで、コピー元となる電子マネーＩＣカード３１を、内蔵リーダーライター３２にかざすと、表示部３６に読み取り確認画面が表示される。続いて、操作部３５から確認コマンドを入力することで、読み取ったカード情報を、ＩＣチップ３３のＥＥＰＲＯＭ３３１にカード情報３３１１として記憶させる。これにより、この携帯端末３０を、あたかも電子マネーＩＣカード３１であるかのように利用することができるようになる。
【００２７】
また、別の携帯端末を使用する際もしくは別の携帯端末に交換した際には、挿脱可能なＩＣチップを元の携帯端末から抜き取ってその別の携帯端末に挿入し、さらに新たに電子マネー一括管理アプリケーションを、その別の携帯端末のマスクＲＯＭ３４にインストールすることで、元の携帯端末の読み取ったカード情報をそのまま引き継いで利用することができる。
【００２８】
尚、携帯端末そのものを紛失した際には、現在の技術では携帯端末そのものを利用できないようにロックをかけることができるため、紛失してからロックをかけるまでのタイムラグを除いて他人の悪用を防ぐことができるが、その携帯端末に挿入されているＩＣチップ３３を抜き取られたり、ＩＣチップ３３そのものを紛失してしまったりした場合、記録されているカード情報を悪用されてしまう恐れがある。そこで、ＩＣチップ３３のＲＯＭ３３２に、ＩＣチップ３３の購入・入手時に専用端末でのみ登録可能とした指紋情報３３２１を記録させておく。そして、一度携帯端末への挿脱を行った場合は、次回から必ず携帯端末の指紋認証装置３７に指紋を読み取らせ、ＲＯＭ３３２に登録されている指紋情報と一致しているか否かを確認する。一致が確認できなければ、カード情報３３１１を利用できないものとすることで、セキュリティを確保する。
【００２９】
図４は、図３のＩＣチップ３３のＥＥＰＲＯＭ３３１内に記録されたカード情報のデータ構成図である。図に示すように、電子マネー情報４１、電子マネー名称４２、顧客情報４３、残高情報４４から構成される。このうち、電子マネー情報４１によって電子マネーの種類を特定し、電子マネーの種類毎に採番されている顧客情報４３によって、各電子マネーサーバーと連携する際に顧客を特定するようになっている。
【００３０】
ここで例えば、ＸＹＺ社の電子マネー決済を行う場合、店舗等に設置されている外部リーダーライター(図２の符号２５)に対して、本発明のＩＣチップが挿入された携帯端末をかざすと、携帯端末は、外部リーダーライターより読み取った電子マネー情報に基づいてＩＣチップ内を検索し、どの電子マネー情報４１の決済を行うのかを特定する。次に残高情報４４を確認し、決済が可能であれば電子マネー決済を行う。その際に、ＩＣチップに登録されている顧客情報４３を電子マネーサーバー(図２の符号２６)と連携することで、電子マネーサーバーはどの顧客がいくらの決済を行ったかを特定してサーバー内の情報を更新する。
このように、携帯端末に挿脱可能なＩＣチップ内に情報を保有することで、ＩＣチップを他の携帯端末に差し替えても、引き続き情報を継続して電子マネー決済を利用することができる。
【００３１】
図５は、携帯端末が電子マネーＩＣカードからカード情報をコピーする処理の概要を示すフローチャートである。必要に応じて図２も参照する。
まず、ＩＣチップ２１を購入・入手した際、本人以外がＩＣチップ２１を不正に入手・使用できないようにするため、ＩＣチップ２１に所有者の指紋情報を登録する（Ｓ５０１）。指紋情報の登録は、特定の登録機器を用いてのみ可能とし、その登録機器はＩＣチップ２１を入手できる特定の場所にのみ設置すること、また指紋情報はＩＣチップ２１内のＲＯＭ３３２に一度登録したら書き換え不能とすることで、セキュリティを実現する。指紋情報の登録は初回のみ行う。
【００３２】
次にＩＣチップ２１が挿入されているかを確認し（Ｓ５０２）、ＩＣチップが挿入されていない場合は、携帯端末にＩＣチップ２１を挿入する（Ｓ５０３）。ここで、ＩＣチップ２１を本人以外が不正使用できないよう、最初にＩＣチップ２１に登録した指紋情報との指紋認証を行うことで使用することができるようにＩＣチップ２１の認証処理を行う（Ｓ５０４）。
【００３３】
ＩＣチップ２１が正しく挿入されたことを確認した後、カード情報をコピーしたり残高・履歴照会を一括して行えたりするようにする電子マネー一括管理アプリケーションがインストールされているかを確認し（Ｓ５０５）、未インストールであればダウンロードサーバー２２よりダウンロードしてインストールを行う（Ｓ５０５）。
【００３４】
電子マネー一括管理アプリケーションが正しくインストールされていることを確認し、携帯端末にコピーしたいカード情報のコピー処理を行う（Ｓ５０６）
以上の操作を行うことにより、携帯端末にカード情報がコピーされ、携帯端末での電子マネー決済や残高・履歴照会・電子マネーチャージを行うことができる。
【００３５】
図６はＩＣチップ認証処理の概要を示すフローチャートである。まず、携帯端末に搭載されている指紋認証装置で指紋を読み取る（Ｓ６０１）。指紋の読み取りが正しく行えたかを確認し（Ｓ６０２）、読み取りが成功していればＩＣチップ２１内に登録されている指紋情報と突合を行う（Ｓ６０３）。突合した結果、双方の指紋情報が一致すれば、ＩＣチップ２１の認証成功とし、挿入されたＩＣチップ２１を使用することができるようになる。
【００３６】
尚、読み取りに失敗（Ｓ６０２）した場合や、ＩＣチップ２１内に登録されている指紋情報と不一致になった場合（Ｓ６０４）は、エラー処理（Ｓ６０５）を行い、認証失敗としてＩＣチップ２１が使用できない。
【００３７】
図７は、図５のステップ５０６におけるカード情報コピー処理の詳細を示すフローチャートである。必要に応じて図４を参照する。
まず、インストールされた電子マネー一括管理アプリケーションの機能により携帯端末にかざした電子マネーＩＣカードの検出処理（Ｓ７０１）を行い、正しく検出ができたかを確認する（Ｓ７０２）。電子マネーＩＣカードの検出に成功した場合、電子マネーＩＣカードより取得したキー情報などの正当性判定情報をもとに、正当なＩＣカードかどうかや携帯端末に登録可能な電子マネーＩＣカードかどうか等をチェックする（Ｓ７０４）。このチェックの結果が問題なければ、電子マネーＩＣカードからカード情報のデータを受信する（Ｓ７０６）。ここで、受信されたカード情報のデータは分かり易い名称ではなく、英数字の羅列によって情報を保有していることがほとんどであり、電子マネー一括管理アプリケーションによって登録されているカード情報を一覧表示する際に出力するものとしては不適切である。従って、ここで受信したカード情報に対して任意の固有の名称を付与するために、電子マネー名称４２をユーザに入力させる（Ｓ７０７）。最後に、付与された電子マネー名称４２と対応付けてカード情報をＩＣチップ２１に記録することで、カード情報のコピー処理が完了する。
【００３８】
尚、ＩＣカードの検出に失敗した場合（Ｓ７０２）や、ＩＣカードと携帯端末の正当性チェックにＮＧとなった場合（Ｓ７０４）は、エラー処理（Ｓ７０５）を行い、ＩＣカード情報のコピー処理を失敗とする。
【００３９】
図８は、携帯端末を利用した残高・履歴照会・電子マネーチャージの概要を示すフローチャートである。必要に応じて図４を参照する。
まず、電子マネー一括管理アプリケーションを起動する（Ｓ８０１）。すると、携帯端末に挿入されたＩＣチップ２１内の全てのカード情報を読み込み、一覧表示で各々の電子マネー名称４２を表示する。次に、残高・履歴照会や電子マネーチャージを所望するいずれかの電子マネー名称４２を選択する入力を行わせる（Ｓ８０２）。そして選択した電子マネー名称４２に対して行いたい操作を「残高照会」、「履歴照会」、「電子マネーチャージ」より選択する（Ｓ８０３）。このように一つのアプリケーションで携帯端末に登録されている電子マネーＩＣカード情報を一括管理できるようにすることで、これまで操作が煩わしかった残高・履歴照会や電子マネーチャージを容易に行うことができるようになる。
【００４０】
選択した操作が「残高照会」の場合は、Ｓ８０２において選択した電子マネー名称４２と対になるカード情報４１をキーとして、ＩＣチップ２１内に保有しているＥＥＰＲＯＭ３１内のカード情報３３１１より残高情報４４を取得し（Ｓ８０４）、残高を表示する（Ｓ８０５）。
【００４１】
選択した操作が「履歴照会」の場合は、Ｓ８０２において選択した電子マネー名称４２と対になる電子マネー情報４１をキーとして、外部リーダーライターを介し対応する電子マネーサーバーへ接続し、さらに電子マネー名称４２と対になる電子マネー情報４１をキーとしてＩＣチップ２１内に保有しているＥＥＰＲＯＭ３１内の顧客情報４３を取得し、取得した顧客情報４３に基づいて電子マネーサーバーの対応する履歴情報を取得し（Ｓ８０６）、履歴を表示する（Ｓ８０７）。
【００４２】
選択した操作が「電子マネーチャージ」の場合は、Ｓ８０２において選択した電子マネー名称４２と対になる電子マネー情報４１をキーとして、外部リーダーライターを介し対応する電子マネーサーバーへ接続し、さらに電子マネー名称４２と対になる電子マネー情報４１をキーとしてＩＣチップ２１内に保有しているＥＥＰＲＯＭ３１内の顧客情報４３を取得し、取得した顧客情報４３に基づいて電子マネーサーバーとの間で電子マネーチャージ処理（Ｓ８０８）を連携して行う。
【符号の説明】
【００４３】
２１  ＩＣチップ
２２  ダウンロードサーバー
２３  携帯端末
２４  電子マネーＩＣカード
２５  外部リーダーライター
２６  電子マネーサーバー
２７  別の携帯端末
【図１】
2010211337.tif 000003
【図２】
2010211337.tif 000004
【図３】
2010211337.tif 000005
【図４】
2010211337.tif 000006
【図５】
2010211337.tif 000007
【図６】
2010211337.tif 000008
【図７】
2010211337.tif 000009
【図８】
2010211337.tif 000010